(57)【特許請求の範囲】
【請求項１】
媒体の処理対象面の裏側面を支持する媒体支持面を有する媒体支持手段と、
前記媒体の先端部を挟持する挟持手段と、
前記媒体の挟持されていない先端部以外の少なくとも一部について、前記媒体の処理対象面に圧力を付与して当該媒体を前記媒体支持面に密着させる圧力付与手段、及び前記媒体支持面に負圧を発生させて前記媒体を吸着固定する吸着固定手段を含む固定保持手段と、
前記固定保持手段又は前記挟持手段の少なくともいずれか一方により固定保持された前記媒体を所定の搬送方向へ搬送する搬送手段と、
前記媒体は前記挟持手段により先端部が挟持され、前記媒体の先端部が挟持されてから当該媒体の処理領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記処理領域に到達するまでに前記一時的に開かれた前記挟持手段を閉じて前記媒体の先端部が再度挟持されるように前記媒体の固定保持を制御する固定保持制御手段と、
前記処理領域の前記媒体の搬送方向における上流側に設けられ、前記処理領域に進入する媒体の浮きを検出する媒体検出手段と、
を備え、
前記固定保持制御手段は、前記媒体検出手段の検出領域に進入する前に前記一時的に開かれた前記挟持手段を閉じ始めるように前記挟持手段を制御することを特徴とする媒体搬送装置。
【請求項２】
媒体の処理対象面の裏側面を支持する媒体支持面を有する媒体支持手段と、
前記媒体の先端部を挟持する挟持手段と、
前記媒体の挟持されていない先端部以外の少なくとも一部について、前記媒体の処理対象面に圧力を付与して当該媒体を前記媒体支持面に密着させる圧力付与手段、及び前記媒体支持面に負圧を発生させて前記媒体を吸着固定する吸着固定手段を含む固定保持手段と、
前記固定保持手段又は前記挟持手段の少なくともいずれか一方により固定保持された前記媒体を所定の搬送方向へ搬送する搬送手段と、
前記媒体は前記挟持手段により先端部が挟持され、前記媒体の先端部が挟持されてから当該媒体の処理領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記処理領域に到達するまでに前記一時的に開かれた前記挟持手段を閉じて前記媒体の先端部が再度挟持されるように前記媒体の固定保持を制御する固定保持制御手段と、
を備え、
前記挟持手段は、前記媒体の搬送方向と直交する媒体の幅方向に沿って並ぶように複数のグリッパーが設けられる構造を有し、
前記固定保持制御手段は、前記挟持手段を一時的に開く際に前記媒体の幅方向における略中央に対応するグリッパーの開き量が、前記媒体の幅方向における両端に対応するグリッパーの開き量よりも小さくなるように当該グリッパーの開閉が制御されることを特徴とする媒体搬送装置。
【請求項３】
媒体の処理対象面の裏側面を支持する媒体支持面を有する媒体支持手段と、
前記媒体の先端部を挟持する挟持手段と、
前記媒体の挟持されていない先端部以外の少なくとも一部について、前記媒体の処理対象面に圧力を付与して当該媒体を前記媒体支持面に密着させる圧力付与手段、及び前記媒体支持面に負圧を発生させて前記媒体を吸着固定する吸着固定手段を含む固定保持手段と、
前記固定保持手段又は前記挟持手段の少なくともいずれか一方により固定保持された前記媒体を所定の搬送方向へ搬送する搬送手段と、
前記媒体は前記挟持手段により先端部が挟持され、前記媒体の先端部が挟持されてから当該媒体の処理領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記処理領域に到達するまでに前記一時的に開かれた前記挟持手段を閉じて前記媒体の先端部が再度挟持されるように前記媒体の固定保持を制御する固定保持制御手段と、
を備え、
前記固定保持制御手段は、前記挟持手段が一時的に開かれている間に前記媒体の固定保持力を弱めるように前記固定保持手段を制御することを特徴とする媒体搬送装置。
【請求項４】
請求項１乃至３のいずれか１項に記載の媒体搬送装置において、
前記挟持手段は、前記媒体支持面より外側に突出しない構造を有するグリッパーを含むことを特徴とする媒体搬送装置。
【請求項５】
請求項１乃至４のいずれか１項に記載の媒体搬送装置において、
前記搬送手段は、円筒形状の外周面に媒体を固定保持した状態で回転可能に構成された圧胴を含むことを特徴とする媒体搬送装置。
【請求項６】
媒体の画像形成面に画像を形成する画像形成手段と、
前記媒体の画像形成面の裏側面を支持する媒体支持面を有する媒体支持手段と、
前記媒体の先端部を挟持する挟持手段と、
前記媒体の挟持されていない先端部以外の少なくとも一部について、前記媒体の画像形成面に圧力を付与して当該媒体を前記媒体支持面に密着させる圧力付与手段、及び前記媒体支持面に負圧を発生させて前記媒体を吸着固定する吸着固定手段を含む固定保持手段と、
前記固定保持手段又は前記挟持手段の少なくともいずれか一方により固定保持された前記媒体を所定の搬送方向へ搬送する搬送手段と、
前記媒体は前記挟持手段により先端部が挟持され、前記媒体の先端部が挟持されてから前記画像形成手段の画像形成領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記画像形成領域に到達するまでに前記一時的に開かれた前記挟持手段を閉じて前記媒体の先端部が再度挟持されるように前記媒体の固定保持を制御する固定保持制御手段と、
前記画像形成領域の前記媒体の搬送方向における上流側に設けられ、前記画像形成領域に進入する媒体の浮きを検出する媒体検出手段と、
を備え、
前記固定保持制御手段は、前記媒体検出手段の検出領域に進入する前に一時的に開かれた前記挟持手段を閉じ始めるように前記挟持手段を制御することを特徴とする画像形成装置。
【請求項７】
媒体の画像形成面に画像を形成する画像形成手段と、
前記媒体の画像形成面の裏側面を支持する媒体支持面を有する媒体支持手段と、
前記媒体の先端部を挟持する挟持手段と、
前記媒体の挟持されていない先端部以外の少なくとも一部について、前記媒体の画像形成面に圧力を付与して当該媒体を前記媒体支持面に密着させる圧力付与手段、及び前記媒体支持面に負圧を発生させて前記媒体を吸着固定する吸着固定手段を含む固定保持手段と、
前記固定保持手段又は前記挟持手段の少なくともいずれか一方により固定保持された前記媒体を所定の搬送方向へ搬送する搬送手段と、
前記媒体は前記挟持手段により先端部が挟持され、前記媒体の先端部が挟持されてから前記画像形成手段の画像形成領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記画像形成領域に到達するまでに前記一時的に開かれた前記挟持手段を閉じて前記媒体の先端部が再度挟持されるように前記媒体の固定保持を制御する固定保持制御手段と、
を備え、
前記挟持手段は、前記媒体の搬送方向と直交する媒体の幅方向に沿って並ぶように複数のグリッパーが設けられる構造を有し、
前記固定保持制御手段は、前記挟持手段を一時的に開く際に前記媒体の幅方向における略中央に対応するグリッパーの開き量が、前記媒体の幅方向における両端に対応するグリッパーの開き量よりも小さくなるように当該グリッパーの開閉が制御されることを特徴とする画像形成装置。
【請求項８】
媒体の画像形成面に画像を形成する画像形成手段と、
前記媒体の画像形成面の裏側面を支持する媒体支持面を有する媒体支持手段と、
前記媒体の先端部を挟持する挟持手段と、
前記媒体の挟持されていない先端部以外の少なくとも一部について、前記媒体の画像形成面に圧力を付与して当該媒体を前記媒体支持面に密着させる圧力付与手段、及び前記媒体支持面に負圧を発生させて前記媒体を吸着固定する吸着固定手段を含む固定保持手段と、
前記固定保持手段又は前記挟持手段の少なくともいずれか一方により固定保持された前記媒体を所定の搬送方向へ搬送する搬送手段と、
前記媒体は前記挟持手段により先端部が挟持され、前記媒体の先端部が挟持されてから前記画像形成手段の画像形成領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記画像形成領域に到達するまでに前記一時的に開かれた前記挟持手段を閉じて前記媒体の先端部が再度挟持されるように前記媒体の固定保持を制御する固定保持制御手段と、
を備え、
前記固定保持制御手段は、前記挟持手段が一時的に開かれている間に前記媒体の固定保持力を弱めるように前記固定保持手段を制御することを特徴とする画像形成装置。
【請求項９】
媒体を固定保持して所定の搬送方向へ搬送する搬送工程と、
挟持手段により前記媒体の先端部を挟持する挟持工程と、
先端部が挟持された前記媒体の先端部以外の少なくとも一部について、前記媒体の処理対象面に圧力を付与して当該媒体を前記媒体が支持される媒体支持面に密着させ、前記媒体支持面に負圧を発生させて前記媒体を吸着固定する固定保持工程と、
前記挟持された前記媒体の先端部の少なくとも一部の挟持が開放される挟持開放工程と、
前記媒体の先端部の挟持が開放されてから所定期間が経過し当該媒体が当該媒体の前記処理領域に到達するまでに前記一時的に開かれた前記挟持手段を閉じて前記媒体の先端部が再度挟持される再挟持工程と、
前記処理領域の前記媒体の搬送方向における上流側に設けられ、前記処理領域に進入する媒体の浮きを検出する媒体検出工程と、
を含み、
前記再挟持工程は、前記媒体検出工程の検出領域に進入する前に一時的に開かれた前記挟持手段を閉じ始めることを特徴とする媒体搬送方法。
【請求項１０】
媒体を固定保持して所定の搬送方向へ搬送する搬送工程と、
前記媒体の搬送方向と直交する媒体の幅方向に沿って並ぶように複数のグリッパーが設けられる構造を有する挟持手段により前記媒体の先端部を挟持する挟持工程と、
先端部が挟持された前記媒体の先端部以外の少なくとも一部について、前記媒体の処理対象面に圧力を付与して当該媒体を前記媒体が支持される媒体支持面に密着させ、前記媒体支持面に負圧を発生させて前記媒体を吸着固定する固定保持工程と、
前記挟持された前記媒体の先端部の少なくとも一部の挟持が開放される挟持開放工程と、
前記媒体の先端部の挟持が開放されてから所定期間が経過し当該媒体が当該媒体の前記処理領域に到達するまでに前記一時的に開かれた前記挟持手段を閉じて前記媒体の先端部が再度挟持される再挟持工程と、
を含み、
前記挟持開放工程は、前記媒体の幅方向における略中央に対応するグリッパーの開き量が、前記媒体の幅方向における両端に対応するグリッパーの開き量よりも小さくなるように前記挟持手段を一時的に開くことを特徴とする媒体搬送方法。
【請求項１１】
媒体を固定保持して所定の搬送方向へ搬送する搬送工程と、
挟持手段により前記媒体の先端部を挟持する挟持工程と、
先端部が挟持された前記媒体の先端部以外の少なくとも一部について、前記媒体の処理対象面に圧力を付与して当該媒体を前記媒体が支持される媒体支持面に密着させ、前記媒体支持面に負圧を発生させて前記媒体を吸着固定する固定保持工程と、
前記挟持された前記媒体の先端部の少なくとも一部の挟持が開放される挟持開放工程と、
前記媒体の先端部の挟持が開放されてから所定期間が経過し当該媒体が当該媒体の前記処理領域に到達するまでに前記一時的に開かれた前記挟持手段を閉じて前記媒体の先端部が再度挟持される再挟持工程と、
を含み、
前記再挟持工程は、前記挟持手段が一時的に開かれている間に前記媒体の固定保持力が弱められることを特徴とする媒体搬送方法。
【発明の詳細な説明】
【技術分野】
【０００１】
本発明は媒体搬送装置及び画像形成装置並びに媒体搬送方法に係り、特に媒体の姿勢を維持したまま所定の方向へ搬送する際における媒体の固定保持技術に関する。
【背景技術】
【０００２】
従来、汎用の画像形成装置として、固定保持された記録媒体を所定の搬送方向へ搬送させながら、インクジェットヘッドのノズルからカラーインクを吐出させて、該記録媒体上に所望の画像を形成するインクジェット記録装置が知られている。
【０００３】
一般に、インクジェット記録装置は、高精細な画像形成を行うために画像形成中におけるインクジェットヘッドと記録媒体とをできる限り近接させる必要がある。しかし、インクジェットヘッドと記録媒体とを近接させた結果、記録媒体がインクジェットヘッドに接触してしまうと、記録媒体を汚してしまうだけでなくインクジェットヘッドを破損してしまうことがある。そこで、記録媒体とインクジェットヘッドとの接触を防止するために、インクジェットヘッドと記録媒体との間には数ｍｍ以下の非常に小さなスローディスタンスが設けられている。
【０００４】
一方、インクジェットヘッドの直下を記録媒体が通過する際に、インクジェットヘッドのノズル面に記録媒体や記録媒体支持面に設けられた構造物が接触すると、ノズル面に形成された撥液膜の損傷やノズル近傍への異物の付着を招き、インク吐出性能を低下させてしまうおそれがある。したがって、ノズル面と記録媒体等とを接触させないように記録媒体を搬送する必要がある。
【０００５】
特許文献１は、搬送ドラムに設けられたグリッパーによって先端部が挟持された状態で記録媒体が搬送される構成を開示している。かかる構成において、記録媒体の先端部をグリッパーで挟持することにより記録媒体の先端部がめくれてノズル面と接触することを回避するとともに、搬送ドラムの周面よりも内側にグリッパーを配置することによりグリッパーとノズル面との接触を回避している。
【０００６】
また、特許文献２は、ＮＩＰ（ノンインパクトプリンティング）印刷ヘッドを有する印刷ユニットにおいて、被印刷体枚葉紙の前縁を保持する保持装置を付属する搬送胴形態の搬送装置を開示している。特許文献２に開示された保持装置は、被印刷体枚用紙を給紙胴から受け取ると、搬送胴の軸方向と平行に並べられたクランプジョーと枚葉紙支持面の前縁との間に被印刷体枚葉紙の前縁をはさみ込んで保持し、保持装置がＮＩＰ印刷ヘッドに近づくとくわえつめ装置が開いてクランプジョーを搬送胴の内部に移動させ、ＮＩＰ印刷ヘッドとクランプジョーとの干渉を防止するように構成されている。
【先行技術文献】
【特許文献】
【０００７】
【特許文献１】特開２００９−２７９７９５号公報
【特許文献２】特開２００２−２９２９５６号公報
【発明の概要】
【発明が解決しようとする課題】
【０００８】
しかしながら、記録媒体の先端部をグリッパー等の挟持部材により保持するとともに、記録媒体の先端部以外の部分をエア吸着方式などにより搬送ドラムの周面に固定保持すると、記録媒体の先端部や先端部と他の部分との境界が歪んだ状態で搬送されることがある。このような記録媒体における歪みの発生により、記録媒体がノズル面に接触する可能性が高くなってしまう。
【０００９】
特許文献１に開示された構成のように搬送ドラムの周面の内側にグリッパーを配置すると、グリッパーで記録媒体の先端部を挟持した後に、押圧ローラ等により先端部以外の部分を搬送ドラムの周面に密着させたときに歪みが発生しやすい。特に、厚みが大きい記録媒体を用いる場合は歪みが顕著に表れる。
【００１０】
特許文献２に開示された構成は、ＮＩＰ印刷ヘッド（インクジェットヘッド）の直下に記録媒体が進入する前に、記録媒体の先端部の保持機構を開放してしまうので、記録媒体の先端部に浮き上がりが発生した結果、記録媒体が大きく剥がれてしまい、記録媒体とノズル面が接触する可能性が高くなる。
【００１１】
本発明はこのような事情に鑑みてなされたもので、処理対象の媒体の搬送時における歪みを解消することで、当該媒体の浮きを抑制し得る媒体搬送装置及び画像形成装置並びに媒体搬送方法を提供することを目的とする。
【課題を解決するための手段】
【００１２】
上記目的を達成するために、本発明に係る媒体搬送装置は、媒体の処理対象面の裏側面を支持する媒体支持面を有する媒体支持手段と、媒体の先端部を挟持する挟持手段と、前記媒体の挟持されていない先端部以外の少なくとも一部について、前記媒体の処理対象面に圧力を付与して当該媒体を前記媒体支持面に密着させる圧力付与手段、及び前記媒体支持面に負圧を発生させて前記媒体を吸着固定する吸着固定手段を含む固定保持手段と、前記固定保持手段又は前記挟持手段の少なくともいずれか一方により固定保持された前記媒体を所定の搬送方向へ搬送する搬送手段と、前記媒体は前記挟持手段により先端部が挟持され、前記媒体の先端部が挟持されてから当該媒体の前記処理領域に到達するまでに、前記固定保持手段によって前記媒体が固定された後に前記挟持手段の少なくとも一部が一時的に開かれ、前記挟持手段が開かれてから所定期間が経過し当該媒体が当該媒体の前記処理領域に到達するまでに前記一時的に開かれた前記挟持手段を閉じて前記媒体の先端部が再度挟持されるように前記媒体の固定保持を制御する固定保持制御手段と、前記処理領域の前記媒体の搬送方向における上流側に設けられ、前記処理領域に進入する媒体の浮きを検出する媒体検出手段と、を備え、前記固定保持制御手段は、前記媒体検出手段の検出領域に進入する前に一時的に開かれた前記挟持手段を閉じ始めるように前記挟持手段を制御することを特徴とする。
【発明の効果】
【００１３】
本発明によれば、媒体を媒体支持面に固定保持させる際に当該媒体の先端部の近傍に生じた歪みを開放させることで媒体支持面と媒体との間の浮きが抑制され、媒体支持面に密着させた状態で当該媒体が搬送される。
【図面の簡単な説明】
【００１４】
【図１】本発明の実施形態に係る媒体搬送装置が適用されるインクジェット記録装置の全体構成図
【図２】図１に示す描画胴の概略構造を示す斜視図
【図３】用紙受け渡し時のグリッパーの動作を説明する図
【図４】用紙押さえローラによる押圧時のグリッパーの動作を説明する図
【図５】用紙開放時のグリッパーの動作を説明する図
【図６】用紙浮き検出センサの検出領域進入前のグリッパーの動作を説明する図
【図７】用紙浮き検出センサの検出領域通過時のグリッパーの動作を説明する図
【図８】図２に示す搬送ドラムの媒体支持面の内部構造を示す平面図
【図９】媒体支持面の一部拡大図
【図１０】図９のＡ−Ａ線に沿う断面図
【図１１】インクジェットヘッドの構成例を示す平面透視図
【図１２】図１１に示すインクジェットヘッドの一部拡大図
【図１３】図１１に示すインクジェットヘッドのノズル配置を説明する平面図
【図１４】図１１のＢ−Ｂ線に沿う断面図
【図１５】図１１に示すインクジェット記録装置のシステム構成を示す要部ブロック図
【図１６】図１１に示す媒体搬送装置の変形例（第1変形例）の構成を示す図
【図１７】図１１に示す媒体搬送装置の用紙受け渡し時におけるグリッパーの動作の変形例（第２変形例）を説明する図
【図１８】図１７に示す描画胴の斜視図
【図１９】図５に示す用紙開放時の変形例（第３変形例）を説明する図
【発明を実施するための形態】
【００１５】
以下、添付図面に従って本発明の好ましい実施の形態について詳説する。
【００１６】
〔インクジェット記録装置の全体構成〕
図１は、本実施形態に係るインクジェット記録装置の全体構成を示した構成図である。同図に示すインクジェット記録装置１０は、色材を含有するインクと該インクを凝集させる機能を有する凝集処理液を用いて、所定の画像データに基づいて記録媒体１４の記録面に画像を形成する２液凝集方式の記録装置である。
【００１７】
インクジェット記録装置１０は、主として、給紙部２０、処理液塗布部３０、描画部４０、乾燥処理部５０、定着処理部６０、及び排出部７０を備えて構成される。処理液塗布部３０、描画部４０、乾燥処理部５０、定着処理部６０の前段に搬送される記録媒体１４の受け渡しを行う手段として渡し胴３２，４２，５２，６２が設けられるとともに、処理液塗布部３０、描画部４０、乾燥処理部５０、定着処理部６０のそれぞれに記録媒体１４を保持しながら搬送する手段として、ドラム形状を有する圧胴３４，４４，５４，６４が設けられている。
【００１８】
渡し胴３２〜６２及び圧胴３４〜６４は、外周面の所定位置に記録媒体１４の先端部を挟んで保持するグリッパー８０Ａ，８０Ｂが設けられている。グリッパー８０Ａとグリッパー８０Ｂにおける記録媒体１４の先端部を挟んで保持する構造、及び他の圧胴又は渡し胴に備えられるグリッパーとの間で記録媒体１４の受け渡しを行う構造と同一であり、かつ、グリッパー８０Ａとグリッパー８０Ｂは、圧胴３４の外周面の圧胴３４の回転方向について１８０°移動させた対称位置に配置されている。
【００１９】
グリッパー８０Ａ，８０Ｂにより記録媒体１４の先端部を狭持した状態で渡し胴３２〜６２及び圧胴３４〜６４を所定の方向に回転させると、渡し胴３２〜６２及び圧胴３４〜６４の外周面に沿って記録媒体１４が回転搬送される。
【００２０】
なお、図１中、圧胴３４に備えられるグリッパー８０Ａ，８０Ｂのみ符号を付し、他の圧胴及び渡し胴のグリッパーの符号は省略する。
【００２１】
給紙部２０に収容されている記録媒体（枚葉紙）１４が処理液塗布部３０に給紙されると、圧胴３４の外周面に保持された記録媒体１４の記録面に、凝集処理液（以下、単に「処理液」と記載することがある。）が付与される。なお、「記録媒体１４の記録面」とは、圧胴３４〜６４の保持された状態における外側面であり、圧胴３４〜６４に保持される面と反対面である。
【００２２】
その後、凝集処理液が付与された記録媒体１４は描画部４０に送出され、描画部４０において記録面の凝集処理液が付与された領域に色インクが付与され、所望の画像が形成される。
【００２３】
さらに、該色インクによる画像が形成された記録媒体１４は乾燥処理部５０に送られ、乾燥処理部５０において乾燥処理が施されるとともに、乾燥処理後に定着処理部６０に送られ、定着処理が施される。乾燥処理及び定着処理が施されることで、記録媒体１４上に形成された画像が堅牢化される。このようにして、記録媒体１４の記録面に所望の画像が形成され、該画像が記録媒体１４の記録面に定着した後に、排出部７０から装置外部に搬送される。
【００２４】
以下、インクジェット記録装置１０の各部（給紙部２０、処理液塗布部３０、描画部４０、乾燥処理部５０、定着処理部６０、排出部７０）について詳細に説明する。
【００２５】
（給紙部）
給紙部２０は、給紙トレイ２２と不図示の送り出し機構が設けられ、記録媒体１４は給紙トレイ２２から一枚ずつ送り出されるように構成されている。給紙トレイ２２から送り出された記録媒体１４は、渡し胴（給紙胴）３２のグリッパー（不図示）の位置に先端部が位置するように不図示のガイド部材によって位置決めされる。
【００２６】
（処理液塗布部）
処理液塗布部３０は、給紙胴３２から受け渡された記録媒体１４を外周面に保持して記録媒体１４を所定の搬送方向へ搬送する圧胴（処理液ドラム）３４と、処理液ドラム３４の外周面に保持された記録媒体１４の記録面に処理液を付与する処理液塗布ユニット３６と、含んで構成されている。処理液ドラム３４を図１における反時計回りに回転させると、記録媒体１４は処理液ドラム３４の外周面に沿って反時計回り方向に回転搬送される。
【００２７】
図１に示す処理液塗布ユニット３６は、処理液ドラム３４の外周面（記録媒体保持面）と対向する位置に設けられている。処理液塗布ユニット３６の構成例として、処理液が貯留される処理液容器と、処理液容器の処理液に一部が浸漬され、処理液容器内の処理液を汲み上げる汲み上げローラと、汲み上げローラにより汲み上げられた処理液を記録媒体１４上に移動させる塗布ローラ（ゴムローラ）と、を含んで構成される態様が挙げられる。
【００２８】
なお、該塗布ローラを上下方向（処理液ドラム３４の外周面の法線方向）に移動させる塗布ローラ移動機構を備え、該塗布ローラとグリッパー８０Ａ，８０Ｂとの衝突を回避可能に構成する態様が好ましい。
【００２９】
処理液塗布部３０により記録媒体１４に付与される処理液は、描画部４０で付与されるインク中の色材（顔料）を凝集させる色材凝集剤を含有し、記録媒体１４上で処理液とインクとが接触すると、インク中の色材と溶媒との分離が促進される。
【００３０】
処理液塗布部３０は、記録媒体１４に塗布される処理液量を計量しながら塗布することが好ましく、記録媒体１４上の処理液の膜厚は、描画部４０から打滴されるインク液滴の直径より十分に小さくすることが好ましい。
【００３１】
（描画部）
描画部４０は、記録媒体１４を保持して搬送する圧胴（描画胴）４４と、記録媒体１４を描画胴４４に密着させるための用紙押さえローラ４６と、記録媒体１４にインクを付与するインクジェットヘッド４８Ｍ，４８Ｋ，４８Ｃ，４８Ｙを備えている。
【００３２】
描画胴４４の基本構造は先に説明した処理液ドラム３４と共通しているが、記録媒体１４の先端部を挟持するグリッパー８０Ａ，８０Ｂが、周面（図２に符号１０４を付して図示する。）から突出しないように配置されている点で構造上相違している。描画胴４４の詳細な説明は後述することとする。
【００３３】
用紙押さえローラ４６は、描画胴４４の外周面に記録媒体１４を密着させるためのガイド部材であり、描画胴４４の外周面に対向し、渡し胴４２と描画胴４４との記録媒体１４の受渡位置よりも記録媒体１４の搬送方向下流側であり、且つ、インクジェットヘッド４８Ｍ，４８Ｋ，４８Ｃ，４８Ｙよりも記録媒体１４の搬送方向上流側に配置される。
【００３４】
また、用紙押さえローラ４６と記録媒体１４の搬送方向における最上流側のインクジェットヘッド４８Ｙとの間には、図１には図示しない用紙浮き検出センサ（図３に符号１２６を付して図示する。）が配置されている。該用紙浮き検出センサは、記録媒体１４がインクジェットヘッド４８Ｍ，４８Ｋ，４８Ｃ，４８Ｙの直下に進入する直前の浮き量を検出している。本例に示すインクジェット記録装置１０は、用紙浮き検出センサにより検出された記録媒体１４の浮き量が所定のしきい値を超える場合には、その旨を報知するとともに記録媒体１４の搬送を中断させるように構成されている。
【００３５】
渡し胴４２から描画胴４４に受け渡された記録媒体１４は、グリッパー（符号省略）によって先端が保持された状態で回転搬送される際に、用紙押さえローラ４６によって押圧され、描画胴４４の外周面に密着する。このようにして、記録媒体１４を描画胴４４の外周面に密着させた後に、描画胴４４の外周面から浮き上がりのない状態で、インクジェットヘッド４８Ｍ，４８Ｋ，４８Ｃ，４８Ｙの直下の印字領域に送られる。
【００３６】
インクジェットヘッド４８Ｍ，４８Ｋ，４８Ｃ，４８Ｙはそれぞれ、マゼンダ（Ｍ）、黒（Ｋ）、シアン（Ｃ）、イエロー（Ｙ）の４色のインクに対応しており、描画胴４４の回転方向（図１における反時計回り方向）に上流側から順に配置されるとともに、インクジェットヘッド４８Ｍ，４８Ｋ，４８Ｃ，４８Ｙのインク吐出面（ノズル面）が描画胴４４に保持された記録媒体１４の記録面と対向するように配置される。なお、「インク吐出面（ノズル面）」とは、記録媒体１４の記録面と対向するインクジェットヘッド４８Ｍ，４８Ｋ，４８Ｃ，４８Ｙの面であり、後述するインクが吐出されるノズル（図１３に符号２０８を付して図示する。）が形成される面である。
【００３７】
また、図１に示すインクジェットヘッド４８Ｍ，４８Ｋ，４８Ｃ，４８Ｙは、描画胴４４の外周面に保持された記録媒体１４の記録面とインクジェットヘッド４８Ｍ，４８Ｋ，４８Ｃ，４８Ｙのノズル面が略平行となるように、水平面に対して傾けられて配置されている。
【００３８】
インクジェットヘッド４８Ｍ，４８Ｋ，４８Ｃ，４８Ｙは、記録媒体１４における画像形成領域の最大幅（記録媒体１４の搬送方向と直交する方向の長さ）に対応する長さを有するフルライン型のヘッドであり、記録媒体１４の搬送方向と直交する方向に延在するように固定設置される。
【００３９】
インクジェットヘッド４８Ｍ，４８Ｋ，４８Ｃ，４８Ｙのノズル面（液体吐出面）には、記録媒体１４の画像形成領域の全幅にわたってインク吐出用のノズルがマトリクス配置されて形成されている。
【００４０】
記録媒体１４がインクジェットヘッド４８Ｍ，４８Ｋ，４８Ｃ，４８Ｙの直下の印字領域に搬送されると、インクジェットヘッド４８Ｍ，４８Ｋ，４８Ｃ，４８Ｙから記録媒体１４の凝集処理液が付与された領域に画像データに基づいて各色のインクが吐出（打滴）される。
【００４１】
インクジェットヘッド４８Ｍ，４８Ｋ，４８Ｃ，４８Ｙから、対応する色インクの液滴が、描画胴４４の外周面に保持された記録媒体１４の記録面に向かって吐出されると、記録媒体１４上で処理液とインクが接触し、インク中に分散する色材（顔料系色材）又は不溶化する色材（染料系色材）の凝集反応が発現し、色材凝集体が形成される。これにより、記録媒体１４上に形成された画像における色材の移動（ドットの位置ズレ、ドットの色ムラ）が防止される。
【００４２】
また、描画部４０の描画胴４４は、処理液塗布部３０の処理液ドラム３４に対して構造上分離しているので、インクジェットヘッド４８Ｍ，４８Ｋ，４８Ｃ，４８Ｙに処理液が付着することがなく、インクの吐出異常の要因を低減することができる。
【００４３】
なお、本例では、ＣＭＹＫの標準色（４色）の構成を例示したが、インク色や色数の組み合わせについては本実施形態に限定されず、必要に応じて淡インク、濃インク、特別色インクを追加してもよい。例えば、ライトシアン、ライトマゼンタなどのライト系インクを吐出するインクジェットヘッドを追加する構成も可能であり、各色ヘッドの配置順序も特に限定はない。
【００４４】
（乾燥処理部）
乾燥処理部５０は、画像形成後の記録媒体１４を保持して搬送する圧胴（乾燥ドラム）５４と、該記録媒体１４上の水分（液体成分）を蒸発させる乾燥処理を施す乾燥処理ユニット５６を備えている。なお、乾燥ドラム５４の基本構造は、先に説明した処理液ドラム３４及び描画胴４４と共通しているので、ここでの説明は省略する。
【００４５】
乾燥処理ユニット５６は、乾燥ドラム５４の外周面に対向する位置に配置され、記録媒体１４に存在する水分を蒸発させる処理部である。描画部４０により記録媒体１４にインクが付与されると、処理液とインクとの凝集反応により分離したインクの液体成分（溶媒成分）及び処理液の液体成分（溶媒成分）が記録媒体１４上に残留してしまうので、かかる液体成分を除去する必要がある。
【００４６】
具体的には、乾燥処理ユニット５６は、ヒータによる加熱、ファンによる送風、又はこれらを併用して記録媒体１４上に存在する液体成分を蒸発させる乾燥処理を施し、記録媒体１４上の液体成分を除去する。記録媒体１４に付与される加熱量及び送風量は、記録媒体１４上に残留する水分量、記録媒体１４の種類、及び記録媒体１４の搬送速度（乾燥処理時間）等のパラメータに応じて適宜設定される。
【００４７】
乾燥処理ユニット５６による乾燥処理が行われる際に、乾燥処理部５０の乾燥ドラム５４は、描画部４０の描画胴４４に対して構造上分離しているので、インクジェットヘッド４８Ｍ，４８Ｋ，４８Ｃ，４８Ｙにおいて、熱又は送風によるヘッドメニスカス部の乾燥によるインクの吐出異常の要因を低減することができる。
【００４８】
記録媒体１４のコックリングの矯正効果を発揮させるために、乾燥ドラム５４の曲率を０．００２（１／ｍｍ）以上とするとよい。また、乾燥処理後の記録媒体の湾曲（カール）を防止するために、乾燥ドラム５４の曲率を０．００３３（１／ｍｍ）以下とするとよい。
【００４９】
また、乾燥ドラム５４の表面温度を調整する手段（例えば、内蔵ヒータ）を備え、該表面温度を５０℃以上に調整するとよい。記録媒体１４の裏面から加熱処理を施すことによって乾燥が促進され、次段の定着処理時における画像破壊が防止される。かかる態様において、乾燥ドラム５４の外周面に記録媒体１４を密着させる手段を具備するとさらに効果的である。記録媒体１４を密着させる手段の一例として、真空吸着、静電吸着などが挙げられる。
【００５０】
なお、乾燥ドラム５４の表面温度の上限については、特に限定されるものではないが、乾燥ドラム５４の表面に付着したインクをクリーニングするなどのメンテナンス作業の安全性（高温による火傷防止）の観点から７５℃以下（より好ましくは６０℃以下）に設定されることが好ましい。
【００５１】
このように構成された乾燥ドラム５４の外周面に、記録媒体１４の記録面が外側を向くように（すなわち、記録媒体１４の記録面が凸側となるように湾曲させた状態で）保持し、回転搬送しながら乾燥処理を施すことで、記録媒体１４のシワや浮きに起因する乾燥ムラが確実に防止される。
【００５２】
（定着処理部）
定着処理部６０は、記録媒体１４を保持して搬送する圧胴（定着ドラム）６４と、画像形成がされ、さらに、液体が除去された記録媒体１４に加熱処理を施すヒータ６６と、該記録媒体１４を記録面側から押圧する定着ローラ６８と、を備えて構成される。なお、定着ドラム６４基本構造は処理液ドラム３４、描画胴４４、及び乾燥ドラム５４と共通しているので、ここでの説明は省略する。ヒータ６６及び定着ローラ６８は、定着ドラム６４の外周面に対向する位置に配置され、定着ドラム６４の回転方向（図１において反時計回り方向）の上流側から順に配置される。
【００５３】
定着処理部６０では、記録媒体１４の記録面に対してヒータ６６による予備加熱処理が施されるとともに、定着ローラ６８による定着処理が施される。ヒータ６６の加熱温度は記録媒体の種類、インクの種類（インクに含有するポリマー微粒子の種類）などに応じて適宜設定される。例えば、インクに含有するポリマー微粒子のガラス転移点温度や最低造膜温度とする態様が考えられる。
【００５４】
定着ローラ６８は、乾燥させたインクを加熱加圧することによってインク中の自己分散性ポリマー微粒子を溶着し、インクを被膜化させるためのローラ部材であり、記録媒体１４を加熱加圧するように構成される。具体的には、定着ローラ６８は、定着ドラム６４に対して圧接するように配置されており、定着ドラム６４との間でニップローラを構成するようになっている。これにより、記録媒体１４は、定着ローラ６８と定着ドラム６４との間に挟まれ、所定のニップ圧でニップされ、定着処理が行われる。
【００５５】
定着ローラ６８の構成例として、熱伝導性の良いアルミなどの金属パイプ内にハロゲンランプを組み込んだ加熱ローラによって構成する態様が挙げられる。かかる加熱ローラで記録媒体１４を加熱することによって、インクに含まれるポリマー微粒子のガラス転移点温度以上の熱エネルギーが付与されると、該ポリマー微粒子が溶融して画像の表面に透明の被膜が形成される。
【００５６】
この状態で記録媒体１４の記録面に加圧を施すと、記録媒体１４の凹凸に溶融したポリマー微粒子が押し込み定着されるとともに、画像表面の凹凸がレベリングされ、好ましい光沢性を得ることができる。なお、画像層の厚みやポリマー微粒子のガラス転移点温度特性に応じて、定着ローラ６８を複数段設けた構成も好ましい。
【００５７】
また、定着ローラ６８の表面硬度は７１°以下であることが好ましい。定着ローラ６８の表面をより軟質化することで、コックリングにより生じた記録媒体１４の凹凸に対して追随効果を期待でき、記録媒体１４の凹凸に起因する定着ムラがより効果的に防止される。
【００５８】
図１に示すインクジェット記録装置１０は、定着処理部６０の処理領域の後段（記録媒体搬送方向の下流側）には、インラインセンサ８２が設けられている。インラインセンサ８２は、記録媒体１４に形成された画像（又は記録媒体１４の余白領域に形成されたチェックパターン）を読み取るためのセンサであり、ＣＣＤラインセンサが好適に用いられる。
【００５９】
本例に示すインクジェット記録装置１０は、インラインセンサ８２の読取結果に基づいてインクジェットヘッド４８Ｍ，４８Ｋ，４８Ｃ，４８Ｙの吐出異常の有無が判断される。また、インラインセンサ８２は、水分量、表面温度、光沢度などを計測するための計測手段を含む態様も可能である。かかる態様において、水分量、表面温度、光沢度の読取結果に基づいて、乾燥処理部５０の処理温度や定着処理部６０の加熱温度及び加圧圧力などのパラメータを適宜調整し、装置内部の温度変化や各部の温度変化に対応して、上記制御パラメータが適宜調整される。
【００６０】
（排出部）
図１に示すように、定着処理部６０に続いて排出部７０が設けられている。排出部７０は、張架ローラ７２Ａ，７２Ｂに巻きかけられた無端状の搬送チェーン７４と、画像形成後の記録媒体１４が収容される排出トレイ７６と、を備えて構成されている。
【００６１】
定着処理部６０から送り出された定着処理後の記録媒体１４は、搬送チェーン７４によって搬送され、排出トレイ７６に排出される。
【００６２】
〔記録媒体を保持、搬送する媒体搬送装置の説明〕
次に、図１に図示したインクジェット記録装置１０に適用される媒体搬送装置について詳説する。以下の説明では、描画部４０に適用される媒体搬送装置（描画胴４４を含む構成）を例に挙げて説明する。
【００６３】
（描画胴の概略構成）
図２は、描画胴４４の全体構造を示す斜視図である。同図に示す描画胴４４は、不図示の回転機構に連結され、不図示の軸受けにより支持される回転軸１０２の周りを、該回転機構の動作によって回転可能に構成される回転体部材である。
【００６４】
また、描画胴４４の周面１０４は、記録媒体１４（図１参照）を裏面側から支持する媒体支持面として機能し、記録媒体１４に作用する吸着圧力（負圧）を発生させる多数の吸着穴（図２では個別の図示を省略し、図９に符号１５０を付して個別に図示する。）が設けられる媒体支持領域１０６を有している。図２においてドットハッチを付して図示した媒体支持領域１０６は、吸着穴が設けられていない帯状の非開口部１０８が周方向に沿って、全周長の略１／２の長さにわたり設けられており、この非開口部１０８によって後述する絞り部（図２中不図示、図８に符号１３４を付して図示する。）の背後がふさがれている。なお、図２の斜視図には図示されない裏側にも同様の構造を有する媒体支持領域が設けられている。
【００６５】
図２に示す描画胴４４の内部は、媒体支持領域１０６に設けられる吸着穴と連通する吸引用の真空流路が設けられている。この真空流路は、描画胴４４の側面１２２に設けられた図２に図示しない真空配管系（配管、ジョイント等）及び、描画胴４４の回転軸１０２の内部に設けられた真空流路（不図示）を介して描画胴４４の外部に設けられた真空ポンプ（図２中不図示、図１５に符号３３４を付して図示する。）に接続されている。該真空ポンプを動作させて真空（負圧）を発生させると、該吸着穴及び該真空流路等を介して記録媒体１４に吸着圧力が付与される。すなわち、描画胴４４は、真空（エア）吸着方式により周面（媒体支持面）１０４に記録媒体１４が固定保持されるように構成されている。
【００６６】
描画胴４４の外周面は軸方向の全長にわたって２か所の凹部１１０が形成されており、この２か所の凹部１１０は、回転方向の位置が略１８０°ずらされて配置されている。なお、図示の都合上、図２では２か所の凹部１１０のうち１か所のみが図示されている。凹部１１０は記録媒体１４の先端部を挟持する挟持手段として機能する複数のグリッパー８０と、グリッパー８０を開閉させるためのグリッパー開閉機構１１２が配設されている。
【００６７】
グリッパー８０は爪形状（略Ｌ字形状、図３参照）を有し、記録媒体１４の先端部を裏側から支持する爪台１１３との間に記録媒体１４の先端部をはさみ込んで記録媒体１４の先端部を挟持するように構成されている。複数のグリッパー８０は、軸方向に沿って等間隔に配置されるとともに、記録媒体１４の最大幅に対応する長さにわたって配置されている。また、グリッパー８０は、描画胴４４の周面１０４から突出しないように凹部１１０の中に収容されている。
【００６８】
グリッパー８０を開閉させるグリッパー開閉機構１１２は、グリッパー８０を支持するグリッパーベース（図２中不図示、図３に符号１２４を付して図示する。）と、該グリッパーベースが連結される開閉シャフト１１４と、描画胴４４に対して開閉シャフト１１４を回転可能に支持するシャフトブラケット１１６と、開閉シャフト１１４とカムフォロア１１８とを連結させる開閉アーム１２０と、を有して構成されている。カムフォロア１１８及び開閉アーム１２０は描画胴４４の側面１２２の外側に設けられている。
【００６９】
本例に示すグリッパー開閉機構１１２は、不図示の駆動源（モータ）の動作に応じてカムフォロア１１８が所定のカム曲線に沿って移動し、開閉アーム１２０に連結された開閉シャフト１１４が回転し、開閉シャフト１１４の回転に応じてグリッパー８０は開閉動作をするように構成されている。
【００７０】
また、グリッパー８０によって記録媒体１４の先端部が挟持された後に、記録媒体１４の全体が用紙押さえローラ４６に押圧されることによって記録媒体１４の先端部近傍に生じる歪みを解消するために、描画胴４４の回転方向における位置に応じてグリッパー８０を開閉動作させるようにグリッパー開閉機構１１２が制御される。以下に、グリッパー８０の開閉制御について詳細に説明する。
【００７１】
（グリッパーの開閉制御の説明）
図３〜図８は、グリッパー８０の開閉動作を説明する説明図である。以下の説明において、図３〜図８に図示されている構成のうち、グリッパー８０の開閉動作と密接に関連していない構成の説明は省略することとする。
【００７２】
図３は、渡し胴４２の用紙先端固定部１２５から描画胴４４のグリッパー８０へ記録媒体１４が受け渡され、記録媒体１４の先端部が用紙押さえローラ４６の押圧領域に到達する直前の状態を示す図である。この状態で、記録媒体１４の先端部はグリッパー８０により挟持（固定）され、符号Ａを付して図示した矢印線の方向（図３における反時計回り方向）へ搬送される。先に説明したように、グリッパー８０及び爪台１１３は描画胴４４の周面よりも内側に位置するように配置されているために、記録媒体１４の先端部は描画胴４４の周面１０４よりも内側で固定される。
【００７３】
図３に示す状態では、グリッパー８０によって挟持されている記録媒体１４の先端部以外は吸着されていないので、記録媒体１４の先端部近傍の浮きは発生しているものの、浮きの量は小さくなっている。なお、比較的厚い記録媒体１４を用いる場合は、渡し胴４２から描画胴４４のグリッパー８０まで受け渡される間に先端部及びその近傍に歪みが発生してしまうことがあり得る。
【００７４】
図４は、記録媒体１４の先端部を挟持したグリッパー８０が、用紙押さえローラ４６による押圧領域を通過し、用紙浮き検出センサ１２６の検出領域に到達する前の状態を示す図である。グリッパー８０によって挟持されている記録媒体１４の先端部が用紙押さえローラ４６の押圧領域を通過し、記録媒体１４の先端部（グリッパー８０によって挟持されていない部分）が吸着固定されると、記録媒体１４が描画胴４４に密着するため記録媒体１４の先端部近傍の歪みは顕著な浮きとなる。なお、図４に図示された状態における描画胴４４に吸着固定されている領域は符号Ｂを付して図示した両矢印線により表される領域である。
【００７５】
このようにして発生する記録媒体１４の浮きは、浮き量が０．５ｍｍから１．０ｍｍ程度になることがあり、この浮きが維持されたまま記録媒体１４がインクジェットヘッド４８Ｍ，４８Ｋ，４８Ｃ，４８Ｙ（図１参照）の描画領域に進入すると、インクジェットヘッド４８Ｍ，４８Ｋ，４８Ｃ，４８Ｙのノズル面と接触する可能性が高くなり、記録媒体１４の浮き量を記録媒体１４とインクジェットヘッド４８Ｍ，４８Ｋ，４８Ｃ，４８Ｙとのスローディスタンス未満に抑える必要がある。
【００７６】
本例に示す描画胴４４は、描画胴４４の周面１０４に記録媒体１４が吸着固定された後にグリッパー８０を一旦開放した後に再度挟持することで、記録媒体１４の歪み（浮き）を抑制するようにグリッパー８０の動作が制御される。
【００７７】
図５は、グリッパー８０と爪台１１３との間に記録媒体１４の厚みを超える間隔を作るようにグリッパー８０が所定量開かれた状態を示す図である。本例に示す描画胴４４は、記録媒体１４の先端部を挟持したグリッパー８０が用紙押さえローラ４６の押圧領域を通過したタイミングで、グリッパー８０と爪台１１３との間に記録媒体１４の厚みを超える間隔を作るように、グリッパー開閉機構１１２（図２参照）を動作させる。このように、記録媒体１４のグリッパー８０に挟持されていない部分が吸着固定されたタイミングでグリッパー８０が所定期間、所定量開かれると、グリッパー８０によって挟持されていた記録媒体１４の先端部が開放され、グリッパー８０に挟持されていた部分と吸着固定されている部分との間に生じていた歪みが解消され、記録媒体１４の当該部分における浮きが低減される。
【００７８】
図６は、記録媒体１４の先端部（グリッパー８０）が用紙浮き検出センサ１２６の検出領域に到達する直前の状態を示す図である。記録媒体１４の歪みを解消させるために開かれたグリッパー８０は、用紙浮き検出センサ１２６の検出領域に到達する前に閉じ始められる。すなわち、用紙浮き検出センサ１２６の検出前に記録媒体１４を描画時と同じ姿勢にすることで、グリッパー８０の開閉による記録媒体１４の姿勢の変化を確実に検知し得る。また、用紙浮き検出センサ１２６の検出領域を通過する際のグリッパー８０が用紙浮き検出センサ１２６に検出されないように、グリッパー８０の開き量が調整されるので、開かれた状態のグリッパー８０が記録媒体１４の浮きとして誤検出されることが防止される。
【００７９】
図７は、記録媒体１４の先端部（グリッパー８０）が用紙浮き検出センサ１２６の検出領域を通過した直後の状態を示す図である。グリッパー８０は、用紙浮き検出センサ１２６の検出領域を抜け出す前に閉じ終わり、グリッパー８０による記録媒体１４の先端部の挟持が維持された（グリッパー８０が完全に閉じられた）状態で、インクジェットヘッド４８Ｍの描画領域に進入する。
【００８０】
記録媒体１４の搬送路上における位置は、描画胴４４の回転軸又は描画胴４４を回転させるためのモータの軸にエンコーダ等の検出装置を取り付け、該検出装置から得られる描画胴４４又はモータの回転量の情報に基づいて把握することができる。また、記録媒体１４の搬送路上においてグリッパー８０を動作させる位置に位置検出センサを備え、該位置検出センサによって記録媒体１４の位置を把握することも可能である。上述した検出装置又は位置検出センサから得られた信号は、後述するシステム制御系に送出され、該システム制御系において記録媒体１４の搬送路上の位置が把握され、記録媒体１４がグリッパー８０を動作させる位置に到達すると、グリッパー８０が所定の動作をするように制御される。また、カムフォロア１１８を不図示のカムに当接させ、所定のタイミングでグリッパー８０を動作させてもよい。
【００８１】
以上説明したようにグリッパー８０を開閉動作させることで、記録媒体１４の先端部近傍（グリッパー８０によって挟持されている部分の近傍）に生じる歪みを解消し、記録媒体１４の浮きを低減させるとともに、グリッパー８０が開かれていることによる用紙浮き検出センサ１２６の検出領域における誤検出が防止される。
【００８２】
さらに、インクジェットヘッド４８Ｍ，４８Ｋ，４８Ｃ，４８Ｙの描画領域に進入する前に記録媒体１４の先端部がグリッパー８０によって挟持されるので、インクジェットヘッド４８Ｍ，４８Ｋ，４８Ｃ，４８Ｙの描画領域を通過する際の記録媒体１４の浮きが、インクジェットヘッド４８Ｍ，４８Ｋ，４８Ｃ，４８Ｙとの間のスローディスタンス未満となるように、記録媒体１４は確実に固定保持される。
【００８３】
（真空流路の説明）
次に、本例に示す描画胴４４に適用される真空流路について説明する。なお、以下に説明する真空流路はあくまでも一例であり、他の構成を適用することも可能である。
【００８４】
図８は、図２にドットハッチを付して図示した媒体支持領域１０６の内部構造（媒体支持領域１０６に設けられた吸着穴の裏側の構造）を示す展開図である。同図における横方向は軸方向であり、縦方向は周方向であり、同図における下側は記録媒体１４の搬送方向における先端側であり、「ＣＬ」と表記された位置は軸方向の中心位置である。
【００８５】
図８に示すように、媒体支持領域１０６の内部は、多数の吸着溝１３０，１３２が設けられ、この多数の吸着溝１３０，１３２は、符号１４０〜１４６を付して太枠で図示した４種類の記録媒体のサイズに対応するように配置されている。
【００８６】
記録媒体１４の後端部に対応する位置（図中、上側）に設けられる吸着溝１３０の溝幅周方向の長さＷ１は、記録媒体１４の後端部以外に対応する位置（図中、中央及び下側）に設けられる吸着溝１３２の溝幅Ｗ２よりも大きくなっている。一方、吸着溝１３０の溝長（軸方向の長さ）Ｌ１と吸着溝１３２の溝長Ｌ２とは略同一になっている。かかる構造により記録媒体１４の後端部におけるエア量を中央部及び先端部よりも多くすることができ、記録媒体１４の後端部の浮きやめくれが効果的に防止される。
【００８７】
図８に示すように、吸着溝１３０及び吸着溝１３２は、軸方向の一方の端部が閉じられた構造を有し、他方の端部は絞り部１３４が設けられている。また、１本の絞り部１３４は両端のそれぞれが異なる吸着溝１３０又は吸着溝１３２と連通している。なお、軸方向の両端部に配置される絞り部１３４’は、一方（内側）のみが吸着溝１３０，１３２と連通し、他方（外側）は閉じられた構造を有している。
【００８８】
絞り部１３４は、吸着溝１３０，１３２の溝幅よりも小さい溝幅（断面積）を有し、図２に示す非開口部１０８の裏側に配置され、該非開口部１０８によって背後（描画胴４４の周面１０４側）がふさがれた構造を有している。すなわち、絞り部１３４（１３４’）は、吸着溝１３０，１３２に流れる空気の流量を制限して、記録媒体１４を吸着する圧力の抜けを妨げる機能を有している。
【００８９】
吸着溝１３０の中には、凸形状を有するリブ１３６，１３８が設けられる。リブ１３６，１３８は島状のパターンを有し、その高さは吸着溝１３０，１３２の深さと概ね同等である。リブ１３６は軸方向に平行な破線状に形成されている。また、軸方向に沿って破線状に並ぶリブ１３６の列（リブ列）が吸着溝１３０内に複数列（図８では２列）平行に形成されている。リブ列の間隔は概ね吸着溝１３２の溝幅と等しいものとなっている。さらに、軸方向に平行に並ぶリブ１３６の切れ目の部分には、周方向に沿ってリブ１３８が破線状に形成されている。
【００９０】
このように、それぞれ分断された島状のリブ１３６，１３８を設けたことにより、媒体支持領域１０６に吸着保持される記録媒体１４の円弧面に対するへこみを防止することができ、スローディスタンスを均一にすることができる。また、分割されたリブ１３６，１３８間の隙間を空気が移動できるため、吸着溝１３０の空気の流量を確保することができる。
【００９１】
また、吸着溝１３２の中には周方向に沿って形成される複数のリブ１３８が、軸方向に沿って配置されている。吸着溝１３２の壁とリブ１３８との間には隙間は設けられており、この隙間を空気が移動できるように構成されている。
【００９２】
図９は、媒体支持領域１０６の一部拡大図である。同図に示すように、媒体支持領域１０６には多数の吸着穴１５０が設けられている。吸着穴１５０と吸着溝１３２（１３０）との配置関係は図示のとおりとなっている。吸着穴１５０の配置パターンは、裏面の吸着溝１３２（１３０）のパターンに対応していることが好ましいが、吸着穴１５０のうち、吸着溝１３２（１３０）と連通しないものがあってもよい。
【００９３】
また、絞り部１３４の幅は、吸着溝１３２の幅よりも狭く、また、絞り部１３４と吸着溝１３２（１３０）の深さは略同一となっている。すなわち、絞り部１３４の流路断面積は、吸着溝１３２の流路断面積よりも小さくなっており、絞り部１３４により吸着溝１３２（１３０）を流れる空気の流量が制限される。
【００９４】
図９に破線で図示したドラム吸着溝１５２は、絞り部１３４（１３４’）と連通し、不図示のドラム吸着穴を介して描画胴４４の内部に設けられた真空流路と連通している。また、絞り部１３４，１３４’と同様に非開口部１０８（図２参照）によって周面１０４側を塞がれている。
【００９５】
図１０は、描画胴４４の立体構造を示す断面図（図９のＡ−Ａ線に沿う断面図）である。同図に示すように、描画胴４４は吸着穴１５０が設けられる吸着層１６０と、吸着溝１３０，１３２、絞り部１３４，１３４’が設けられる中間層１６２と、ドラム吸着溝１５２が設けられる本体部１６４に分離して考えることが可能である。
【００９６】
例えば、吸着層１６０と中間層１６２とを１枚のシート状部材で構成し、所定の流路構造や回転機構等が設けられた本体部１６４に中間層１６２を積み重ねて巻きつけ、さらに、中間層１６２に吸着層１６０を積み重ねて巻きつけた構造とすることが可能である。また、吸着層１６０と中間層１６２とを一体構成として、吸着穴１５０、吸着溝１３０，１３２及び絞り部１３４，１３４’が形成された１枚のシート状部材を本体部１６４に積層して巻きつけてもよい。
【００９７】
なお、吸着層１６０の厚みは、中間層１６２の厚みよりも厚くすることが好ましい。同図に示す態様では、吸着層１６０の厚みに対する中間層１６２の厚みは略１／２となっている。中間層１６２は、図８で説明した吸着溝１３０，１３２やリブ１３６，１３８等のパターンが形成されているシート裏面側の所定厚部分である。中間層１６２の厚みは、薄ければ薄いほど少ない負圧で高い吸着力を得ることが可能であるが、過度に薄いと、紙粉、ゴミ等の異物による詰まりが起こりやすくなる。このような条件を考慮すると、中間層１６２の厚みは、０．０５ｍｍ〜０．５ｍｍ程度が好ましい。
【００９８】
吸着層１６０は、下にリブ１３６，１３８が存在しないところでも吸着圧力によって陥没しない程度の剛性を確保する厚みが必要であり、かつ、吸着層１６０を本体部１６４の周面に巻き付けて固定するために、相応の柔軟性が必要である。例えば、ステンレスを用いて製作した吸着層１６０の厚みは、０．１ｍｍ〜０．５ｍｍとすることが好ましく、より好ましい厚みは０．２〜０．３ｍｍ程度である。ステンレス以外の材料を用いる場合には、使用する材料の剛性及び柔軟性を考慮して、適宜の厚みに設計される。
【００９９】
なお、吸着穴１５０の平面形状をだ円や多角形などの円以外の形状としてもよい。また、吸着穴１５０を省略する構造も可能である。ただし、いずれの構造を適用する場合にも、絞り部１３４，１３４’の背後（周面１０４側）が必ずふさがれた構造とし、絞り部１３４，１３４’が直接大気開放されない構造としなければならない。
【０１００】
以上説明した真空流路は、最大サイズの記録媒体よりも小さいサイズの記録媒体を使用した場合に、オープンとなる（大気開放される）吸着穴１５０及び吸着溝１３０，１３２が存在しても、絞り部１３４，１３４’の作用によってオープンとなった吸着穴１５０及び吸着溝１３０，１３２から吸着圧力の抜けが発生することがなく、様々なサイズの記録媒体１４に対して所定の吸着圧力を維持することが可能である。
【０１０１】
〔インクジェットヘッドの構造〕
次に、描画部４０に具備されるインクジェットヘッド４８Ｍ，４８Ｋ，４８Ｃ，４８Ｙの構造の一例について説明する。図１１は、インクジェットヘッド２００の概略構成図であり、同図はインクジェットヘッド２００から記録媒体の記録面を見た図（ヘッドの平面透視図）となっている。なお、各色に対応するインクジェットヘッド４８Ｍ，４８Ｋ，４８Ｃ，４８Ｙの構造は共通しているので、以下、これらを代表して符号２００によってインクジェットヘッド（以下、単に「ヘッド」ともいう。）を示すものとする。
【０１０２】
同図に示すヘッド２００は、ｎ個のサブヘッド２０２‐ｋ（ｋは１からｎの整数）を一列につなぎ合わせてマルチヘッドを構成している。また、各サブヘッド２０２‐ｋは、ヘッド２００の短手方向の両側からヘッドカバー２０４，２０６によって支持されている。なお、サブヘッド２０２を千鳥状に配置してマルチヘッドを構成することも可能である。
【０１０３】
複数のサブヘッドにより構成されるマルチヘッドの適用例として、記録媒体の全幅に対応したフルライン型ヘッドが挙げられる。フルライン型ヘッドは、記録媒体の移動方向（副走査方向）と直交する方向（主走査方向）に沿って、記録媒体の主走査方向における長さ（幅）に対応して、複数のノズル（図１３に符号２０８を付して図示する。）が並べられた構造を有している。かかる構造を有するヘッド２００と記録媒体とを相対的に一回だけ走査させて画像記録を行う、いわゆるシングルパス画像記録方式により、記録媒体の全面にわたって画像を形成し得る。
【０１０４】
図１２は、ヘッド２００の一部拡大図である。同図に示すように、サブヘッド２０２は、略平行四辺形の平面形状を有し、隣接するサブヘッド間にオーバーラップ部が設けられている。オーバーラップ部とは、サブヘッドのつなぎ部分であり、サブヘッド２０２‐ｋの並び方向（図１２における左右方向、図１３に図示する主走査方向Ｘ）に隣接するドットが異なるサブヘッドに属するノズルによって形成される。
【０１０５】
図１３は、サブヘッド２０２‐ｋのノズル配列を示す平面図である。同図に示すように、各サブヘッド２０２‐ｋは、ノズル２０８が二次元状に並べられた構造を有し、かかるサブヘッド２０２‐ｋを備えたヘッドは、いわゆるマトリクスヘッドと呼ばれるものである。図１３に図示したサブヘッド２０２‐ｋは、副走査方向Ｙに対して角度αをなす列方向Ｗ、及び主走査方向Ｘに対して角度βをなす行方向Ｖに沿って多数のノズル２０８が並べられた構造を有し、主走査方向Ｘの実質的なノズル配置密度が高密度化されている。図１３では、行方向Ｖに沿って並べられたノズル群（ノズル行）は符号２１０を付し、列方向Ｗに沿って並べられたノズル群（ノズル列）は符号２１２を付して図示されている。
【０１０６】
図１４は、記録素子単位となる１チャンネル分の液滴吐出素子（１つのノズル２０８に対応したインク室ユニット）の立体的構成を示す断面図である。同図に示すように、本例のヘッド２００は、ノズル２０８が形成されたノズルプレート２１４と、圧力室２１６や共通流路２１８等の流路が形成された流路板２２０等を積層接合した構造から成る。ノズルプレート２１４は、ヘッド２００のノズル面２１４Ａを構成し、各圧力室２１６にそれぞれ連通する複数のノズル２０８が２次元的に形成されている。
【０１０７】
流路板２２０は、圧力室２１６の側壁部を構成するとともに、共通流路２１８から圧力室２１６にインクを導く個別供給路の絞り部（最狭窄部）としての供給口２２２を形成する流路形成部材である。なお、説明の便宜上、図１４では簡略的に図示しているが、流路板２２０は一枚又は複数の基板を積層した構造である。
【０１０８】
ノズルプレート２１４及び流路板２２０は、シリコンを材料として半導体製造プロセスによって所要の形状に加工することが可能である。
【０１０９】
共通流路２１８はインク供給源たるインクタンク（不図示）と連通しており、インクタンクから供給されるインクは共通流路２１８を介して各圧力室２１６に供給される。
【０１１０】
圧力室２１６の一部の面（図１４おいて天面）を構成する振動板２２４には、個別電極２２６及び下部電極２２８を備え、個別電極２２６と下部電極２２８との間に圧電体２３０がはさまれた構造を有するピエゾアクチュエータ２３２が接合されている。振動板２２４を金属薄膜や金属酸化膜により構成すると、ピエゾアクチュエータ２３２の下部電極２２８に相当する共通電極として機能する。なお、樹脂などの非導電性材料によって振動板を形成する態様では、振動板部材の表面に金属などの導電材料による下部電極層が形成される。
【０１１１】
個別電極２２６に駆動電圧を印加することによってピエゾアクチュエータ２３２が変形して圧力室２１６の容積が変化し、これに伴う圧力変化によりノズル２０８からインクが吐出される。インク吐出後、ピエゾアクチュエータ２３２が元の状態に戻る際、共通流路２１８から供給口２２２を通って新しいインクが圧力室２１６に再充填される。
【０１１２】
かかる構造を有するインク室ユニットを図１２に示す如く、主走査方向Ｘと角度βをなす行方向Ｖ及び副走査方向Ｙに対して角度αをなす列方向Ｗに沿って一定の配列パターンで格子状に多数配列させることにより、本例の高密度ノズルヘッドが実現されている。かかるマトリクス配列において、副走査方向の隣接ノズル間隔をＬｓとするとき、主走査方向については実質的に各ノズル２０８が一定のピッチＰ＝Ｌｓ／tanθで直線状に配列されたものと等価的に取り扱うことができる。
【０１１３】
本例では、ヘッド２００に設けられたノズル２０８から吐出させるインクの吐出力発生手段としてピエゾアクチュエータ２３２を適用したが、圧力室２１６内にヒータを備え、ヒータの加熱による膜沸騰の圧力を利用してインクを吐出させるサーマル方式を適用することも可能である。
【０１１４】
〔制御系の説明〕
図１５は、インクジェット記録装置１０の制御系の概略構成を示すブロック図である。インクジェット記録装置１０は、通信インターフェース３００、システム制御部３０２、搬送制御部３０４、画像処理部３０６、ヘッド駆動部３０８を備えるとともに、ＲＯＭ３１０、画像メモリ３１２を備えている。
【０１１５】
通信インターフェース３００は、ホストコンピュータ３１４から送られてくる画像データを受信するインターフェース部である。通信インターフェース３００は、ＵＳＢ（Universal Serial Bus）などのシリアルインターフェースを適用してもよいし、セントロニクスなどのパラレルインターフェースを適用してもよい。通信インターフェース３００は、通信を高速化するためのバッファメモリ（不図示）を搭載してもよい。
【０１１６】
システム制御部３０２は、中央演算処理装置（ＣＰＵ）及びその周辺回路等から構成され、所定のプログラムに従ってインクジェット記録装置１０の全体を制御する制御装置として機能するとともに、各種演算を行う演算装置として機能し、さらに、ＲＯＭ３１０及び画像メモリ３１２のメモリコントローラとして機能する。すなわち、システム制御部３０２は、通信インターフェース３００、搬送制御部３０４等の各部を制御し、ホストコンピュータ３１４との間の通信制御、ＲＯＭ３１０及び画像メモリ３１２の読み書き制御等を行うとともに、上記の各部を制御する制御信号を生成する。
【０１１７】
ホストコンピュータ３１４から送出された画像データは通信インターフェース３００を介してインクジェット記録装置１０に取り込まれ、画像処理部３０６によって所定の画像処理が施される。
【０１１８】
画像処理部３０６は、画像データから印字制御用の信号を生成するための各種加工、補正などの処理を行う信号（画像）処理機能を有し、生成した印字データをヘッド駆動部３０８に供給する制御部である。画像処理部３０６において所要の信号処理が施され、該画像データに基づいて、ヘッド駆動部３０８を介してヘッド４８の吐出液滴量（打滴量）や吐出タイミングの制御が行われる。これにより、所望のドットサイズやドット配置が実現される。なお、図１５に示すヘッド駆動部３０８には、ヘッド４８の駆動条件を一定に保つためのフィードバック制御系を含んでいてもよい。
【０１１９】
搬送制御部３０４は、画像処理部３０６により生成された印字制御用の信号に基づいて記録媒体１４（図１参照）の搬送タイミング及び搬送速度を制御する。図１５における搬送駆動部３１６は、図１の圧胴３４〜６４を回転させるモータや、渡し胴３２〜６２を回転させるモータ、給紙部２０における記録媒体１４の送出機構のモータ、排出部７０の張架ローラ７２Ａ（７２Ｂ）を駆動するモータなどが含まれ、搬送制御部３０４は上記のモータのドライバーとして機能している。
【０１２０】
搬送制御部３０４は、描画部４０に設けられた用紙押さえローラ４６（図１５中不図示、図１参照）の動作を制御する。例えば、システム制御部３０２が記録媒体１４の厚みや記録媒体１４の種類などの記録媒体情報を取得すると、用紙押さえローラ４６の押圧（描画胴４４の周面１０４との距離）を適宜可変させる。
【０１２１】
用紙浮き検出センサ１２６は、描画胴４４に固定保持されている記録媒体１４の浮き量を検出するためのセンサである。用紙浮き検出センサ１２６の構成例として、光学式センサを適用する態様が挙げられる。例えば、描画胴４４をはさんで投光器と受光器とを配置し、投光器（検査光源）から受光器（フォトセンサ）に向けて検査光を出射させる態様を適用可能である。なお、光学式センサに代わり、超音波センサ、反射型フォトインタラプタ、レバー（アクチュエータ）付き透過型フォトインタラプタなどの方式のセンサを適用してもよいし、描画胴４４の軸方向にワイヤを張り、記録媒体１４の接触によるワイヤの張力変化を検出する構成を適用してもよい。
【０１２２】
システム制御部３０２は、受光器が受光した検査光の量の情報を受け取ると、当該受光光量と所定のしきい値とを比較して記録媒体の浮き量が所定量を超えているか否かが判断される。描画胴４４に固定保持されている記録媒体１４の浮き量が所定量を超えていると判断されると、ヘッド４８の描画領域に記録媒体１４が進入する前に当該の記録媒体１４の搬送を停止させるようにシステム制御部３０２から搬送制御部３０４へ指令信号が送出される。また、システム制御部３０２は表示部３２８にその旨を表示させる。
【０１２３】
記録媒体１４の厚みや種類に応じたしきい値を予め求めて記憶しておき、記録媒体１４の情報に応じてしきい値が切り換えられるように構成する態様が好ましい。
【０１２４】
ＲＯＭ３１０は、システム制御部３０２のＣＰＵが実行するプログラムや、装置各部の制御に必要な各種データ、制御パラメータなどが格納されており、システム制御部３０２を通じてデータの読み書きが行われる。ＲＯＭ３１０は、半導体素子からなるメモリに限らず、ハードディスクなど磁気媒体を用いてもよい。また、外部インターフェースを備え、着脱可能な記憶媒体を用いてもよい。
【０１２５】
画像メモリ（一次記憶メモリ）３１２は、通信インターフェース３００を介して入力された画像データを一旦格納する一次記憶手段としての機能や、ＲＯＭ３１０に記憶されている各種プログラムの展開領域及びＣＰＵの演算作業領域（例えば、画像処理部３０６の作業領域）としての機能を有している。画像メモリ３１２には、逐次読み書きが可能な揮発性メモリ（ＲＡＭ）が用いられる。
【０１２６】
さらに、このインクジェット記録装置１０は、処理液付与制御部３２０、乾燥処理制御部３２２、及び定着処理制御部３２４を備えており、システム制御部３０２からの指示にしたがって、それぞれ、処理液塗布ユニット３６（図１参照）を含む処理液塗布部３０、乾燥処理ユニット５６（図１参照）を含む乾燥処理部５０、及びヒータ６６、定着ローラ６８（図１参照）を含む定着処理部６０の各部の動作を制御する。
【０１２７】
処理液付与制御部３２０は、画像処理部３０６から得られた印字データに基づいて、処理液付与のタイミングの制御を制御するとともに、処理液の付与量を制御する。また、乾燥処理制御部３２２は、乾燥処理ユニット５６における乾燥処理のタイミングを制御するとともに、処理温度、送風量等を制御し、定着処理制御部３２４は、ヒータ６６の温度を制御するとともに、定着ローラ６８の押圧を制御する。
【０１２８】
図１に示したインラインセンサ８２を含むインライン検出部（不図示）は、インラインセンサ８２から出力される読取信号にノズル除去や増幅、波形整形などの所定の信号処理を施す信号処理部を含む処理ブロックである。システム制御部３０２は、当該インライン検出部により得られた検出信号に基づいて、ヘッド４８の吐出異常の有無を判断する。
【０１２９】
ポンプ制御部３３２は、圧胴３４，４４（図２の描画胴４４），５４，６４に記録媒体１４（図１参照）を固定保持するための吸着圧力を発生させる真空ポンプ３３４の制御を行う。例えば、所定の処理を終えた記録媒体１４が描画胴４４に供給されると、描画胴４４の真空流路と接続された真空ポンプ３３４を動作させて、記録媒体１４の種類やサイズ、曲げ剛性、グリッパー８０（図１参照）の開閉制御に対応して真空（負圧）を発生させる。
【０１３０】
すなわち、システム制御部３０２は、記録媒体の種類の情報やグリッパー８０の開閉制御の情報などの真空ポンプ３３４の制御情報を取得すると、当該制御情報がポンプ制御部３３２に送出する。ポンプ制御部３３２は、当該制御情報に応じて吸着圧力を設定し、その設定に従って真空ポンプ３３４のオンオフ及び発生圧力を制御する。
【０１３１】
例えば、薄紙等の曲げ剛性の低い記録媒体を用いる場合には、標準よりも吸着圧力を低く設定し、厚紙等の曲げ剛性の高い記録媒体を用いる場合には、標準よりも吸着圧力を高く設定する。また、記録媒体の厚みに応じて、厚い記録媒体を用いる場合には、標準よりも吸着圧力を高く設定し、薄い記録媒体を用いる場合には、標準よりも吸着圧力を低く設定する。なお、記録媒体の種類（厚み、曲げ剛性）と吸着圧力を対応付けしてデータテーブル化しておき、所定のメモリ（例えば、図１５のＲＯＭ３１０）に記憶しておくとよい。
【０１３２】
図１５には、真空ポンプ３３４を１つだけ図示したが、圧胴３４，４４，５４，６４のそれぞれに真空ポンプ３３４を備えてもよいし、制御弁などの切換手段を真空流路の途中に設け、１つの真空ポンプを選択的に切り換えて、複数の圧胴に対応してもよい。また、１つの圧胴３４，４４，５４，６４において媒体保持領域を複数に区画し、区画ごとに真空ポンプ３３４を接続してもよい。
【０１３３】
グリッパー開閉制御部３３６は、記録媒体１４の受け渡しに応じて圧胴３４，４４，５４，６４のそれぞれに設けられたグリッパー８０を動作（開閉）させるグリッパー開閉機構３３８（図２等に図示されたグリッパー開閉機構１１２）を制御する。例えば、渡し胴４２のグリッパーと描画胴４４のグリッパー８０は、記録媒体１４の幅方向の位置をずらして配置されており、渡し胴４２のグリッパーが記録媒体１４をつかんだ状態で描画胴４４のグリッパー８０が渡し胴４２のグリッパーの間に入る構造を有しており、記録媒体１４を渡し胴４２のグリッパーと描画胴４４のグリッパー８０との両方で同時につかむことができるように構成されている。
【０１３４】
渡し胴４２から描画胴４４へ記録媒体１４が受け渡されるときには、渡し胴４２のグリッパーに挟持された記録媒体１４の先端部が描画胴４４のグリッパー８０によっても挟持され、その後渡し胴のグリッパーが開かれると、記録媒体１４は描画胴４４のグリッパー８０のみで挟持され、渡し胴４２から描画胴４４へ受け渡される。他の渡し胴３２，５２，６２と圧胴３４，５４，６４との間の記録媒体１４の受け渡しにも同様の方式が適用される。また、グリッパー開閉制御部３３６によって、図３〜図７を用いて説明したように描画胴４４に設けられたグリッパー開閉機構１１２の動作が制御される。
【０１３５】
本例に示すインクジェット記録装置１０は、ユーザインターフェースとして、オペレータ（ユーザ）が各種入力を行うための入力装置３２６と、表示部（ディスプレイ）３２８を含んで構成される。入力装置３２６には、キーボード、マウス、タッチパネル、ボタンなど各種形態を採用し得る。オペレータは、入力装置３２６を操作することにより、印刷条件の入力、画質モードの選択、付属情報の入力・編集、情報の検索などを行うことができ、入力内容や検索結果など等の各種情報は表示部３２８の表示を通じて確認することができる。この表示部３２８はエラーメッセージなどの警告を表示する手段としても機能する。
【０１３６】
上記の如く構成されたインクジェット記録装置１０（媒体搬送装置）によれば、描画胴４４のグリッパー８０により挟持された記録媒体１４は、用紙押さえローラ４６によって押圧された後に一旦グリッパー８０による挟持が開放され、その後、所定期間が経過すると再度グリッパー８０によって先端部が挟持されるので、受け渡された際に生じる記録媒体１４の歪みが開放され、浮きが低減された状態で記録媒体１４を描画胴４４に密着させることができる。
【０１３７】
記録媒体１４の先端部以外の領域を吸着した後にグリッパー８０を開いて記録媒体１４の歪みを解消し、浮きを低減させるので、グリッパー８０を開く際の記録媒体１４の位置ズレが防止される。さらに、記録媒体１４に用紙押さえローラ４６を押し付けてから記録媒体１４を描画胴４４の周面１０４に吸着固定させるので、記録媒体１４は描画胴４４の周面１０４に高精度に位置決めされる。
【０１３８】
記録媒体１４の先端が用紙浮き検出センサ１２６の検出領域に進入するまえにグリッパー８０を閉じ始めるとともに、記録媒体１４の先端が用紙浮き検出センサ１２６の該検出領域を抜け出す前にグリッパー８０が閉じ終わるので、グリッパー８０が開閉したことによる記録媒体１４の状態の変化が確実に検知される。
【０１３９】
グリッパー８０が描画胴４４の周面１０４から突出しないように描画胴４４の内部に配置されるので、インクジェットヘッド４８と記録媒体１４との間のスローディスタンスを小さくしてインクジェットヘッド４８と記録媒体１４とを近接させることができ、印字位置精度をより高くすることが可能となる。
【０１４０】
上述した実施形態では、圧胴（回転）搬送方式を例に挙げて説明したが、本発明はドラム搬送方式など他の搬送方式にも適用可能である。また、本例に示す媒体搬送装置に使用することができる媒体として、紙、樹脂シート、金属シートなど、種々のシート状の媒体が挙げられる。
【０１４１】
〔変形例〕
次に、上述した本発明に係る実施形態の第１変形例〜第３変形例について説明する。なお、以下に説明において、既に説明した構成と同一又は類似する構成には同一の符号を付し、その説明は省略することとする。
【０１４２】
（第１変形例）
図１６は、第１変形例に係る媒体搬送装置の構成例を示す図である。同図に示す媒体搬送装置４００は、図２に図示した用紙押さえローラ４６に代わり、非接触式の用紙押さえ部４０２が設けられ、用紙押さえ部４０２から記録媒体１４の描画面に風を吹きつけて記録媒体１４を描画胴４４の周面１０４に押し付けるように構成されている。
【０１４３】
すなわち、図１６に示す用紙押さえ部４０２は、記録媒体１４に吹き付ける空気流を発生させる送風ファン４０４と、送風ファン４０４が支持されるとともに描画胴４４の周面１０４と対向する面に開口４０６が設けられたフレーム４０８と、を備えている。
【０１４４】
用紙押さえ部４０２は、記録媒体１４に全幅に対応する長さを有する開口４０６を備えてもよいし、開口４０６の長さを記録媒体１４の全幅よりも短く構成し、記録媒体１４の全幅にわたって当該開口４０６を所定の移動機構を用いて移動させてもよい。また、記録媒体１４の厚みやサイズ、種類に対応して送風ファン４０４の風量を可変させるように構成すると、様々な厚み、サイズ、種類の記録媒体１４に対応した好ましい空気流を記録媒体１４へ吹き付けることが可能となる。
【０１４５】
かかる構成を有する媒体搬送装置４００によれば、非接触で記録媒体１４を描画胴４４の周面１０４に密着させることができるので、未乾燥の処理液やインクが用紙押さえ部４０２に付着することがなく、用紙押さえ部４０２に付着した処理液やインクが記録媒体１４に再転写されることによる記録媒体１４の描画面の汚れが防止される。
【０１４６】
（第２変形例）
図１７は、第２変形例に係る媒体搬送装置４５０において、渡し胴４２から描画胴４４へ記録媒体１４が受け渡された後に、記録媒体１４の歪みを解消させるためにグリッパー４８０が開かれた状態を示す模式図である。また、図１８は図１７に図示した描画胴４４の斜視図である。第２変形例に適用されるグリッパー４８０は、描画胴４４の軸方向における中央部の６つのグリッパー４８０Ａが両端部の４つ（８つ）グリッパー４８０Ｂよりも開き量が小さくなっている。
【０１４７】
すなわち、記録媒体１４が描画胴４４の周面１０４に吸着固定された後に中央部のグリッパー４８０Ａ及び両端部のグリッパー４８０Ｂを開く際に、中央部のグリッパー４８０Ａは記録媒体１４の厚み未満の開き量とし、両端部のグリッパー４８０Ｂは記録媒体１４の厚みを超える開き量としている。
【０１４８】
かかる構成によって、記録媒体１４の歪みを解消させるためにグリッパー４８０Ａ，４８０Ｂを開く際に、記録媒体１４の中央部の挟持をやや弱めて維持したまま、記録媒体１４の両端部の挟持を開放することで、記録媒体１４の両端部に生じやすい歪みを効果的に解消させるとともに、記録媒体１４の歪みを解消させる際の記録媒体１４の位置ズレが防止される。なお、記録媒体１４が描画胴４４の周面１０４に吸着固定された後に中央部のグリッパー４８０Ａ及び両端部のグリッパー４８０Ｂを開く際に、両端部のグリッパー４８０Ｂのみを開き、中央部のグリッパー４８０Ａは閉じたままとする態様も可能である。
【０１４９】
複数のグリッパー４８０（４８０Ａ，４８０Ｂ）を選択的に開閉させる構造例として、中央部のグリッパー４８０Ａを支持する開閉シャフト１１４（図３参照）と両端部のグリッパー４８０Ｂを支持する開閉シャフトと、を備え、２本の開閉シャフトを別々の駆動機構により動作させる態様が挙げられる。
【０１５０】
本例における「中央部グリッパー」とは、「描画胴４４の中央部に設けられるグリッパー」又は「描画胴４４の中央部をはさんで設けられる２つのグリッパー」のいずれかが少なくとも含まれ、記録媒体１４に位置ズレを生じさせない程度に記録媒体１４に保持力を作用させ得る数のグリッパーである。また、「両端部のグリッパー」とは描画胴４４の両端のグリッパーが少なくとも含まれ、中央部のグリッパーに属さないグリッパーである。
【０１５１】
（第３変形例）
図１９は、第３変形例に係る媒体搬送装置の構成例を示す図である。同図に示す媒体搬送装置５００は、記録媒体１４の歪みを解消させるためにグリッパー８０を開く際に、記録媒体１４の先端部の吸着圧力を弱める（又は停止させる）ように構成されている。図１９に符号Ｃを付して図示した領域を記録媒体１４の先端部を吸着する先端吸着領域であり、符号Ｄを付して図示した領域は記録媒体の中央部を吸着する中央吸着領域である。
【０１５２】
例えば、先端吸着領域の真空流路と中央吸着領域の真空流路とを分離させるとともに、先端吸着領域の真空流路に接続される真空ポンプと、中央吸着領域の真空流路に接続される真空ポンプと、を別途備えることで、先端吸着領域の吸着制御と中央吸着領域の吸着制御とを別々に行なうことが可能である。
【０１５３】
かかる構成によれば、記録媒体１４の歪みを解消させるためにグリッパー８０を開く際に、記録媒体１４の先端部の吸着圧力を弱める又は停止させることで、広範囲にわたって歪みを解消させることができるとともに、記録媒体１４の中央部の吸着を維持することで、記録媒体１４が描画胴４４から外れてしまうことを防止し得る。
【０１５４】
なお、上述した第１〜第３変形例に係る構成を適宜組み合わせる態様も可能である。例えば、第２変形例と第３変形例とを組み合わせて、描画胴４４の軸方向における両端部のグリッパー４８０Ｂを開放する際に、グリッパー４８０Ｂに対応する位置の吸着圧力を選択的に弱める（又は停止させる）ように構成することで、記録媒体１４の先端部における両端部に生じた歪みをより効果的に開放させることができ、かつ、記録媒体１４に位置ズレが発生しない程度に吸着圧力が維持される。
【０１５５】
〔他の装置構成への適用例〕
上記の実施形態では画像形成装置の例として、インクジェット記録装置を説明したが、本発明の適用範囲はこれに限定されず、インクジェット方式だけでなく、レーザ記録方式や電子写真方式など他の方式の画像形成装置にも適用可能である。例えば、サーマル素子を記録素子とする記録ヘッドを備えた熱転写記録装置、ＬＥＤ素子を記録素子とする記録ヘッドを備えたＬＥＤ電子写真プリンタ、ＬＥＤライン露光ヘッドを有する銀塩写真方式プリンタなど各種方式のカラー画像形成装置についても本発明を適用することが可能である。
【０１５６】
また、「画像形成装置」という用語の解釈においては、写真プリントやポスター印刷などのいわゆるグラフィック印刷の用途に限定されず、レジスト印刷装置、電子回路基板の配線描画装置、微細構造物形成装置など、画像として把握できるパターンを形成し得る工業用途の装置も包含する。
【０１５７】
すなわち、本発明に係る媒体搬送装置は、媒体に対して所定の処理を施す処理部と、処理対象の記録媒体と、を近接させる必要があり、かつ、処理部と媒体との接触を避ける必要がある構成に広く適用可能である。
【０１５８】
＜付記＞
上記に詳述した実施形態についての記載から把握されるとおり、本明細書では以下に示す発明を含む多様な技術思想の開示を含んでいる。
【０１５９】
（発明１）：媒体の処理対象面の裏側面を支持する媒体支持面を有する媒体支持手段と、媒体の先端部を挟持する挟持手段と、前記媒体の挟持されていない先端部以外の少なくとも一部を固定保持する固定保持手段と、前記固定保持手段又は前記挟持手段の少なくともいずれか一方により固定保持された前記媒体を所定の搬送方向へ搬送する搬送手段と、前記媒体は前記挟持手段により先端部が挟持され、前記媒体の先端部が挟持されてから当該媒体の処理領域に到達するまでに、前記固定保持手段によって前記媒体が固定された後に前記挟持手段の少なくとも一部が一時的に開かれ、前記挟持手段が開かれてから所定期間が経過した後に開かれた前記挟持手段を閉じて前記媒体の先端部が再度挟持されるように前記媒体の固定保持を制御する固定保持制御手段と、を備えたことを特徴とする媒体搬送装置。
【０１６０】
本発明によれば、媒体を媒体支持面に固定保持させる際に当該媒体の先端部の近傍に生じた歪みを開放させることで媒体支持面と媒体との間の浮きが抑制され、媒体支持面に密着させた状態で当該媒体が搬送される。
【０１６１】
本発明における媒体搬送装置の形態として、ベルト搬送方式やドラム搬送方式など様々な搬送方式に適用可能である。
【０１６２】
（発明２）：発明１に記載の媒体搬送装置において、前記固定保持手段は、前記媒体支持面に負圧を発生させて前記媒体を吸着固定する吸着固定手段を含むことを特徴とする。
【０１６３】
かかる態様によれば、媒体支持面に媒体を確実に固定することができ、好ましい媒体搬送が実現される。
【０１６４】
かかる態様において、媒体支持面に複数の吸着穴を備え、該吸着穴と連通する流路を介して外部に設けられた圧力発生手段により吸着圧力を発生させてもよい。
【０１６５】
（発明３）：発明１又は２に記載の媒体搬送装置において、前記固定保持手段は、前記媒体の処理対象面に圧力を付与して当該媒体を固定する圧力付与手段を含むことを特徴とする。
【０１６６】
かかる態様における圧力付与手段は、媒体の処理対象面に接触して圧力を付与する接触方式でもよいし、媒体の処理対象面と非接触で圧力を付与する非接触方式でもよい。非接触方式の一態様として、媒体の処理対象面に空気流を吹き付ける態様が挙げられる。
【０１６７】
（発明４）：発明１乃至３のいずれかに記載の媒体搬送装置において、前記処理領域の前記媒体の搬送方向における上流側に設けられ、前記処理領域に進入する媒体の浮きを検出する媒体検出手段を備え、前記固定保持制御手段は、前記媒体検出手段の検出領域に進入する前に一時的に開かれた前記挟持手段を閉じ始めるように前記挟持手段を制御することを特徴とする。
【０１６８】
かかる態様によれば、媒体の浮きを検出する前に媒体を処理時と同じ姿勢とすることで、挟持手段を開閉させたことによる媒体の状態の変化を確実に検知することができる。また、挟持手段の開かれた状態を媒体の浮きとして誤検出されることが防止される。
【０１６９】
かかる態様において、媒体が媒体検出手段の検出領域を抜け出すまでに挟持手段が閉じ終わるように制御される態様が好ましい。
【０１７０】
（発明５）：発明１乃至４のいずれかに記載の媒体搬送装置において、前記挟持手段は、前記媒体支持面より外側に突出しない構造を有するグリッパーを含むことを特徴とする。
【０１７１】
かかる態様において、媒体の幅方向（搬送方向と略直交する方向）について、媒体の最大幅に対応する長さにわたり複数のグリッパーを配置させる態様があり得る。
【０１７２】
（発明６）：発明１乃至５のいずれかに記載の媒体搬送装置において、前記挟持手段は、前記媒体の搬送方向と直交する媒体の幅方向に沿って並ぶように複数のグリッパーが設けられる構造を有し、前記固定保持制御手段は、前記挟持手段を一時的に開く際に前記媒体の幅方向における略中央に対応するグリッパーの開き量は、前記媒体の幅方向における両端に対応するグリッパーの開き量よりも小さくなるように当該グリッパーの開閉が制御されることを特徴とする。
【０１７３】
かかる態様によれば、歪みが発生しやすい媒体の幅方向における両端部ではグリッパーを開くことで歪みを解消させ、一方、媒体の幅方向における中央部では媒体の保持が維持され、当該媒体の位置ズレが防止される。
【０１７４】
中央部におけるグリッパーの開き量を媒体の厚み未満とし、両端部のグリッパーの開き量を媒体の厚みを超える量とする態様が好ましい。
【０１７５】
（発明７）：発明１乃至６のいずれかに記載の媒体搬送装置において、前記固定保持制御手段は、前記挟持手段が一時的に開かれている間に前記媒体の固定保持力を弱めるように前記固定保持手段を制御することを特徴とする。
【０１７６】
かかる態様によれば、媒体の広い範囲における歪みが解消される。
【０１７７】
かかる態様において、歪みが発生しやすい媒体の先端部の吸着圧力のみを弱め、歪みが発生しにくい媒体の先端部以外の吸着圧力を維持する態様が好ましい。
【０１７８】
（発明８）：発明１乃至７のいずれかに記載の媒体搬送装置において、前記搬送手段は、円筒形状の外周面に媒体を固定保持した状態で回転可能に構成された圧胴を含むことを特徴とする。
【０１７９】
かかる態様によれば、媒体の歪みによる浮きが発生しやすい圧胴搬送方式において、媒体の歪みに起因する媒体の浮きを効果的に抑制することが可能となる。
【０１８０】
（発明９）：媒体の画像形成面に画像を形成する画像形成手段と、前記媒体の画像形成面の裏側面を支持する媒体支持面を有する媒体支持手段と、媒体の先端部を挟持する挟持手段と、前記媒体の挟持されていない先端部以外の部分を固定保持する固定保持手段と、前記固定保持手段又は前記挟持手段の少なくともいずれか一方により保持された前記媒体を所定の搬送方向へ搬送する搬送手段と、前記媒体は前記挟持手段により先端部が挟持され、前記媒体の先端部が挟持されてから前記画像形成手段の画像形成領域に到達するまでに、前記固定保持手段によって前記媒体が固定された後に前記挟持手段の少なくとも一部が一時的に開かれ、前記挟持手段が開かれてから所定期間が経過した後に開かれた前記挟持手段を閉じて前記媒体の先端部が再度挟持されるように前記媒体の固定保持を制御する固定保持制御手段と、を備えたことを特徴とする画像形成装置。
【０１８１】
発明９に係る画像形成装置には、画像形成手段としてインクジェットヘッドを具備するインクジェット記録装置が含まれる。
【０１８２】
（発明１０）：媒体を固定保持して所定の搬送方向へ搬送する搬送工程と、前記媒体の先端部を挟持する挟持工程と、先端部が挟持された前記媒体の先端部以外の少なくとも一部を固定保持する固定保持工程と、前記挟持された前記媒体の先端部の少なくとも一部の挟持が開放される挟持開放工程と、前記媒体の先端部の挟持が開放されてから所定期間が経過した後に、前記媒体の先端部が再度挟持される再挟持工程と、を含むことを特徴とする媒体搬送方法。
【０１８３】
発明１０における固定保持工程の一例として、媒体支持面から媒体へ負圧を発生させて当該媒体を吸着保持する態様が挙げられる。また、媒体の処理対象面に圧力を付与して当該媒体を固定する圧力付与工程を含む態様が好ましい。
【０１８４】
また、搬送路上における媒体の位置を検出する検出工程と、検出された媒体の位置に対応して媒体の先端部の挟持と挟持の開放を選択的に切り換える切換工程を含む態様が好ましい。
【符号の説明】
【０１８５】
１０…インクジェット記録装置、４４…描画胴、４６…用紙押さえローラ、４８，４８Ｍ，４８Ｋ，４８Ｃ，４８Ｙ，２００…インクジェットヘッド、８０…グリッパー、１０４…周面、１０６…媒体支持領域、１１２…グリッパー開閉機構、１２６…用紙浮き検出センサ、３３２…ポンプ制御部、３３４…真空ポンプ、３３６…グリッパー開閉制御部、４００，４５０，５００…媒体搬送装置、４０２…用紙押さえ部
【図１】
0005422458.tif 000002
【図２】
0005422458.tif 000003
【図３】
0005422458.tif 000004
【図４】
0005422458.tif 000005
【図５】
0005422458.tif 000006
【図６】
0005422458.tif 000007
【図７】
0005422458.tif 000008
【図８】
0005422458.tif 000009
【図９】
0005422458.tif 000010
【図１０】
0005422458.tif 000011
【図１１】
0005422458.tif 000012
【図１２】
0005422458.tif 000013
【図１３】
0005422458.tif 000014
【図１４】
0005422458.tif 000015
【図１５】
0005422458.tif 000016
【図１６】
0005422458.tif 000017
【図１７】
0005422458.tif 000018
【図１８】
0005422458.tif 000019
【図１９】
0005422458.tif 000020